(57)【要約】      （修正有）【課題】広告サポートコンテンツを放送し，処理する方法を提供する。【解決手段】音声，映像，又は映音データのようなコンテンツは離散単位に区切られる。コンテンツは，コンテンツの離散単位を区切る広告と共に，複数の移動体端末に放送される。また，ユーザが広告を見るようにさせるインセンティブとして，特典データを取得する方法を含むか，又は指示する特典情報も移動体端末のユーザに提供される。【選択図】図１
2011018341.tif 000002
【特許請求の範囲】
【請求項１】
広告サポートコンテンツを転送する方法であって，
（ａ）前記コンテンツを離散単位に区切るステップと，
（ｂ）コンテンツの離散単位を区切る少なくともいくつかの広告と共に，前記コンテンツ及び広告を転送するステップと，
（ｃ）前記広告と共に，ユーザが前記広告を見るように奨励する特典情報を転送するステップと，
を有する方法。
【請求項２】
前記特典情報は，特典データを注文する注文情報を含む請求項１に記載の方法。
【請求項３】
前記注文情報は，前記特典データを注文する時間を含む請求項２に記載の方法。
【請求項４】
前記特典情報は，特典データを含む請求項１に記載の方法。
【請求項５】
前記特典データは，着信音を含む請求項４に記載の方法。
【請求項６】
前記特典データは，運用事業者のロゴを含む請求項４に記載の方法。
【請求項７】
前記特典データは，暗号かぎを含む請求項４に記載の方法。
【請求項８】
前記特典データは，パスワードを含む請求項４に記載の方法。
【請求項９】
前記パスワードは，ユーザがコンテンツの少なくとも１つの離散単位を見ることができるようにする請求項８に記載の方法。
【請求項１０】
前記特典データは，アプリケーションを含む請求項４に記載の方法。
【請求項１１】
前記のステップ（ｂ）が，ラジオデータを放送するステップを含む請求項１に記載の方法。
【請求項１２】
前記のステップ（ｂ）が，テレビデータを放送するステップを含む請求項１に記載の方法。
【請求項１３】
（ａ）少なくとも１人のユーザからユーザプロファイル情報を受信するステップと，
（ｂ）前記の受信したプロファイルデータに基づいて，前記特典データを選択するステップと，
を更に有する請求項１に記載の方法。
【請求項１４】
前記特典情報は，前記広告のいくつかを放送する間に分割して放送される特典データを含む請求項１に記載の方法。
【請求項１５】
前記注文情報は，ＳＭＳアドレスを含む請求項２に記載の方法。
【請求項１６】
前記注文情報は，広告の放送に続く所定の時間内それぞれに，いくつかのメッセージを送信するための情報を含む請求項２に記載の方法。
【請求項１７】
ユーザから受諾コマンドを受信したとき，受信器において特典データを記憶するステップを更に含む請求項１に記載の方法。
【請求項１８】
前記受信器が，移動体端末を構成する請求項１７に記載の方法。
【請求項１９】
前記のステップ（ｂ）が，前記コンテンツ及び広告をマルチキャストするステップを含む請求項１に記載の方法。
【請求項２０】
前記のステップ（ｂ）が，前記コンテンツ及び広告をインターネットを介して送信する請求項１の方法。
【請求項２１】
広告サポートコンテンツを処理することができる移動体端末であって，
広告で区切られたコンテンツの離散単位のデータストリームを受信することができる受信器と，
前記広告と共に放送される特典データ注文情報を記憶することができる注文情報モジュールと，
前記注文情報から，前記特典データを注文するためのメッセージを生成することができるメッセージモジュールと，
を備える移動体端末。
【請求項２２】
前記特典データを記憶することができる特典データメモリモジュールを更に含む請求項２１に記載の移動体端末。
【請求項２３】
前記メッセージモジュールが前記特典データを注文するためのメッセージを生成する前に，前記特典データを前記特典データメモリモジュールに記憶する請求項２２に記載の移動体端末。
【請求項２４】
広告サポートコンテンツを処理することができる移動体端末であって，
広告で区切られたコンテンツの離散単位のデータストリームを受信することができる受信器と，
１以上の前記広告と共に放送される特典データを記憶することができる特典データメモリモジュールと，
を備える移動体端末。
【請求項２５】
前記特典データは，着信音を含む請求項２４に記載の移動体端末。
【請求項２６】
前記特典データは，運用事業者のロゴを含む請求項２４に記載の移動体端末。
【請求項２７】
前記特典データは，暗号かぎを含む請求項２４に記載の移動体端末。
【請求項２８】
前記特典データは，パスワードを含む請求項２４に記載の移動体端末。
【請求項２９】
前記パスワードは，ユーザがコンテンツの１つの離散単位を見ることができるようにする請求項２８に記載の移動体端末。
【請求項３０】
計算機可読媒体であって，
（ａ）コンテンツを離散単位に区切るステップと，
（ｂ）広告と，ユーザが前記広告を見るように奨励する特典情報とを関連付けるステップと，
（ｃ）コンテンツの離散単位の少なくともいくつかを区切る前記広告及び特典情報を含む情報ストリームを生成するステップと，
（ｄ）少なくとも１つの受信デバイスに前記情報ストリームを転送するステップと，
を含むステップを計算機デバイスに実行させる計算機実行可能命令を含む計算機可読媒体。
【請求項３１】
コンテンツサーバであって，
メモリモジュールと，
プロセッサであって，
（ａ）コンテンツを離散単位に区切るステップと，
（ｂ）広告と，ユーザが前記広告を見るように奨励する特典情報とを関連付けるステップと，
（ｃ）コンテンツの離散単位の少なくともいくつかを区切る前記広告及び特典情報を含む情報ストリームを生成するステップと，
を実行するようにプログラムされたプロセッサと，
を備えるコンテンツサーバ。
【請求項３２】
少なくとも１つの受信デバイスに，前記情報ストリームを送信することができる送信モジュールを更に含む請求項３１に記載のコンテンツサーバ。
【発明の詳細な説明】
【技術分野】
【０００１】
本発明は，エンドユーザが視聴するコンテンツの送信に関する。より特定すれば本発明の態様は，ユーザがＣＭコンテンツを視聴するように奨励するシステム及び方法を提供する。
【背景技術】
【０００２】
商業テレビラジオ放送は，典型的には広告によってコンテンツの開発及び配信をまかなっている。例えば空中波と，ケーブルと，衛星との放送事業者が，番組をいくつかの離散セグメントに分割し，番組の離散セグメントの間に広告を放送することは普通に行われている。
【０００３】
ユーザが番組を視聴しているとき，広告を見るのを避けようとすることも普通である。しばしばユーザは，ＣＭ中にチャネルを切り替えたり，ほかの仕事に集中したりする。デジタルビデオレコーダの開発によって，ユーザが広告を避けつつ放送されたコンテンツを見ることが極めて簡単になった。数時間の番組をデジタルビデオレコーダで録画することができる。そして再生中ユーザは，広告を早送りしたり，飛ばしたりすることができる。
【０００４】
したがって，広告サポートコンテンツ（広告費によってまかなわれるコンテンツ（advertisement supported content））と共に放送された広告をユーザが見るようにするインセンティブを与える当技術におけるシステム及び方法が要望される。そのようなインセンティブなしでは，ユーザはますます広告を見なくなるであろう。それは，広告主が広告を出稿したがらなくなるか，又はより現実的には広告の出稿にほとんどリソースを注入しなくなることに至る。そのような広告なしでは，コンテンツの開発及び配信をまかなうために広告を用いるというビジネスモデルは，危機にさらされる。
【先行技術文献】
【特許文献】
【０００５】
【特許文献１】特開２００４−８６６９６号公報
【特許文献２】特開２００４−１７５３６７号公報
【特許文献３】特開２００４−５４４６６号公報
【特許文献４】特開２００２−１１７００７号公報
【特許文献５】特開２００１−３５７２７５号公報
【特許文献６】特開２００２−２３２６０４号公報
【発明の概要】
【課題を解決するための手段】
【０００６】
本発明の態様は，１以上の上述の課題を処理し，それによって番組の放送中に放送された広告を見るように，ユーザにインセンティブを与えるシステム及び方法を提供する。
【０００７】
第１の実施例においては，広告サポートコンテンツを放送する方法が提供される。方法は，コンテンツを離散単位に区切るステップと，コンテンツの離散単位を区切る少なくともいくつかの広告と共にコンテンツ及び広告を放送するステップとを含む。ユーザが広告を見るように奨励する特典情報も放送される。
【０００８】
本発明のもう１つの実施例においては，広告サポートコンテンツを処理する移動体端末が提供される。移動体端末は，広告によって区切られたコンテンツの離散単位のデータストリームを受信する受信器を含む。注文情報モジュールは，広告と共に放送される特典データ注文情報を記憶する。メッセージモジュールは，注文情報から特典データを注文するためのメッセージを生成する。
【０００９】
またもう１つの実施例においては，広告サポートコンテンツを処理する移動体端末が提供される。移動体端末は，広告によって区切られたコンテンツの離散単位のデータストリームを受信する受信器と，広告と共に放送される特典データを記憶する特典データメモリモジュールとを含む。
【００１０】
１以上の開示された方法の全体又は部分を，光ディスク，磁気ディスク，又は物理メモリのような計算機可読媒体上に計算機実行可能命令として，記録することができる。
【図面の簡単な説明】
【００１１】
【図１】本発明の実施例によって移動体端末が広告サポートコンテンツ及び特典情報を受信する構成を示す図である。
【図２】本発明の実施例によって広告サポートコンテンツ及び特典情報を放送する方法を示す図である。
【図３】本発明の実施例によって，移動体端末が特典データを選択するために用いられるプロファイル情報を提供する構成を示す図である。
【発明を実施するための形態】
【００１２】
本発明の態様を，添付の図面を用いて説明する。ここで類似の参照符号は類似の要素を表す。
【００１３】
図１は，本発明の実施例によって移動体端末１０２が広告サポートコンテンツストリーム１０４を受信する構成を示す図である。広告サポートコンテンツストリーム１０４は，いくつかの離散コンテンツセグメント１０６ａと，１０６ｂと，１０６ｃとを含む。離散コンテンツセグメント１０６ａと，１０６ｂと，１０６ｃとは，音声，映像又は映音コンテンツを含むことができる。広告１０８ａと，１０８ｂと，１０８ｃとは，離散コンテンツセグメントを区切る。特典情報１１０ａと，１１０ｂと，１１０ｃとは，広告１０８ａと，１０８ｂと，１０８ｃと共に放送される。特典情報の利用は以降で詳細に説明する。
【００１４】
広告サポートコンテンツストリーム１０４は，テレビ局，ラジオ局，インターネットウェブサイト，若しくはコンテンツ及び広告をユーザに放送又は送信する任意のほかのエンティティが放送又は送信することができる。１つの実施例においては，データをインターネットプロトコルデータキャストサービスを用いて放送又は送信される。もう１つの実施例においては，データをデジタルビデオ放送の（ＤＶＢと，ＡＴＳＣと，ＩＳＤＢと，それらの移動体及び携帯端末向け方法を含む別の版との）送信信号を用いて放送又は送信される。
【００１５】
図示したとおり端末１０２は，ベースサイトすなわち基地局（ＢＳ）との間で信号を送受信するためのアンテナ１１８を含んでもよい。基地局は，移動体通信交換センタ（ＭＳＣ）のようなネットワークを運用するために必要な要素を含む，セルラネットワークの一部であってもよい。また当業者には周知のとおり，セルラネットワークは基地局ＭＳＣ相互動作機能（ＢＭＩ）とも呼ばれる。動作中ＭＳＣは，端末が発着呼するとき端末を出入りする呼及びメッセージを経路制御することができる。またＭＳＣは，端末が通話中のとき，地上市外回線への接続を行う。更にＭＳＣは，サーバゲートウェイ（ＧＴＷ）に接続することができる。
【００１６】
ＭＳＣは，構内ネットワーク（ＬＡＮ），都市域ネットワーク（ＭＡＮ）及び／又は広域ネットワーク（ＷＡＮ）のようなデータネットワークに接続することができる。ＭＳＣは，直接データネットワークに接続することができる。しかし１つの典型的な実施例においては，ＭＳＣはＧＴＷに接続し，ＧＴＷがインターネットのようなＷＡＮに接続する。次に処理要素（例えばパーソナル計算機，サーバ計算機又はその類似物）のようなデバイスが，インターネットを介して端末１０２に接続することができる。
【００１７】
ＭＳＣに加え，ＢＳはサービス提供ＧＰＲＳ（一般パケット無線サービス）サポートノード（ＳＧＳＮ）に接続することができる。当業者には周知のとおり，ＳＧＳＮは典型的には，パケット交換サービスのためのＭＳＣに類似した機能を実行することができる。ＳＧＳＮはＭＳＣのように，インターネットのようなデータネットに接続することができる。ＳＧＳＮは，直接データネットワークに接続することができる。しかしより典型的な実施例においては，ＳＧＳＮはＧＰＲＳコアネットワークのようなパケット交換コアネットワークに接続される。次にパケット交換コアネットワークは，ＧＴＷ ＧＰＲＳサポートノード（ＧＧＳＮ）のようなもう１つのＧＴＷに接続し，ＧＴＷがインターネットに接続する。ＧＧＳＮに加えてパケット交換コアネットワークもＧＴＷに接続できる。
【００１８】
ＳＧＳＮをＧＰＲＳコアネットワーク及びＧＧＳＮに接続することによって，原（ｏｒｉｇｉｎ）サーバのようなデバイスは，インターネットと，ＳＧＳＮと，ＧＧＳＮとを介して端末１０２に接続することができる。この点に関して，原サーバのようなデバイスはＳＧＳＮと，ＧＰＲＳと，ＧＧＳＮとを通じて端末と通信することができる。例えば原サーバは，マルチメディア同報マルチキャストサービス（ＭＢＭＳ）によるもののような端末へコンテンツを提供することができる。ＭＢＭＳの更なる情報については，第３世代パートナシッププロジェクト（３ＧＰＰ）技術仕様書，3GPP TS 22.146，マルチメディア同報マルチキャストサービス（ＭＢＭＳ）を参照されたい。ここにその内容全体を参照する。
【００１９】
端末１０２は，ＢＳに加えて１以上の無線接続点（ＡＰ）に無線で接続することができる。ＡＰは，例えば無線周波（ＲＦ），Ｂｌｕｅｔｏｏｔｈ（登録商標）（ＢＴ），赤外線（ＩｒＤＡ），又はＷＬＡＮ技法を含むいくつかのさまざまな無線ネットワーク技法のような技法によって通信するように構成された接続点であってよい。追加又は代替として，端末１０２は１以上のユーザ処理装置に接続することができる。各ユーザ処理装置は，パーソナル計算機，ラップトップ計算機又はその類似物のような計算システムであってもよい。この点に関してユーザ処理装置は，例えばＲＦ，ＢＴ，ＩｒＤＡ，若しくははん用シリアルバス（ＵＳＢ），ＬＡＮ及び／又はＷＬＡＮ技法を含む，いくつかのさまざまな有線又は無線通信技法のうちいずれかのような技法によって，端末と通信するように構成することができる。追加又は代替として１以上のユーザ処理装置は，後刻端末に転送することができるコンテンツを記憶することができる着脱可能メモリを含んでもよい。
【００２０】
更に端末１０２は，デジタルカメラ及び／又はほかのマルチメディアのキャプチャ，制作及び／又は記憶デバイスのような１以上の可搬型電子デバイスに接続することができる。ユーザ処理装置のように端末は，例えばＲＦ，ＢＴ，ＩｒＤＡ，若しくはＵＳＢ，ＬＡＮ及び／又はＷＬＡＮ技法を含む，いくつかのさまざまな有線又は無線通信技法のうちいずれかのような技法によって，可搬型電子デバイスと通信するように構成することができる。
【００２１】
ＡＰ及びユーザ処理装置はインターネットに接続してもよい。ＭＳＣのようにＡＰ及びユーザ処理装置は，インターネットに直接接続することができる。しかし１つの実施例においては，ＡＰはＧＴＷを介して間接的にインターネットに接続される。理解されるとおり，端末と，原サーバと，いくつかのほかのデバイスのいずれかと，をインターネットに直接間接に接続することによって，端末と，そのような端末に接続された可搬型電子デバイスとは，もうひとつの端末，原サーバ，その他と通信することができ，それによって原サーバとの間でデータ，コンテンツ又はその類似物を送受信するような端末（及び可搬型電子デバイス）のさまざまな機能を実行することができる。ここで用いられているように，「データ」，「コンテンツ」，「情報」という用語及び類似の用語は，交換して用いることができ，本発明の実施例によって送信，受信及び／又は記憶することができるデータを指すものとする。このように，そのようないずれの用語の使用も本発明の精神及び範囲を制限するものととらえないことが望ましい。
【００２２】
更に追加又は代替として端末１０２は，地上デジタルビデオ放送（例えばＤＶＢ−Ｔ，ＤＶＢ−Ｈ，ＩＳＤＢ−Ｔ，ＡＴＳＣなど）のネットワークのようなデジタル放送ネットワークを介して，デジタル放送事業者と接続することができる。理解されるとおり，端末とデジタル放送事業者とを直接間接に接続することによって，端末はデジタル放送事業者から１以上のテレビ，ラジオ，及び／又はデータチャネルのコンテンツのようなコンテンツを受信することができる。この点に関してデジタル放送事業者は，ＤＶＢ−Ｔ送信器のような送信器を含み，又は接続することができる。類似して端末は，ＤＶＢ−Ｔ受信器のような受信器を含むことができる。端末は，いくつかのさまざまなエンティティのいずれからも，いくつかのさまざまな方法のうち１以上のいずれによっても，コンテンツを受信することができる。例えば１つの実施例において端末は，データ，コンテンツ，又はその類似物を，（例えば１Ｇ，２Ｇ，２．５Ｇ，３Ｇ，などの）セルラ通信技法と同様（例えばＤＶＢ−Ｔ，ＤＶＢ−Ｈ，などの）ＤＶＢ技法によって送受信することができる端末であってよい。そのような実施例において端末１０２は，ＤＶＢ−Ｔ ＴＸからコンテンツを受信するためのアンテナと，ＢＳとの間で信号を送受信するもう１つのアンテナとを含んでもよい。そのような端末の更なる情報については，米国特許出願０９／８９４，５３２，「受信器」，２００１年６月２９日出願，を参照されたい。ここにその内容すべてを参照する。
【００２３】
端末１０２をＴＸを介してデジタル放送事業者に直接接続することに加え，又はその代わりに，端末をデジタル放送（ＤＢ）受信器に接続し，次にその受信器が直接及び／又はＴＸを介してデジタル放送事業者に接続してもよい。そのような事例においては，デジタル放送受信器は，セットトップボックスの形態をしたＤＶＢ−Ｔ受信機のようなＤＶＢ−Ｔ受信機であってもよい。端末は個人域ネットワーク（personal area network）を介するように，デジタル放送受信器に局所的に接続してもよい。しかし１つの実施例においては，端末は追加，又は代替として，インターネットを介してデジタル放送受信器に間接的に接続してもよい。
【００２４】
移動体端末１０２は，携帯電話機，パーソナルデジタルアシスタント，計算機デバイス，又は広告サポートコンテンツストリーム１０４を受信し処理することができる類似のデバイスによって実装してもよい。移動体端末１０２は，移動体端末１０２の全体動作を制御するコントローラ１０２ａ及び制御アプリケーション１０２ｂを含んでもよい。注文情報メモリモジュール１０２ｃは，特典データを注文するために用いることができる注文情報を記憶するために含めてもよい。本発明の１つの実施例においては，特典情報１１０ａ，１１０ｂ及び／又は１１０ｃは，注文情報を含んでもよい。また移動体端末１０２は，特典データを記憶する特典データメモリモジュールを含んでもよい。移動体端末１０２は，携帯電話機能力及びデジタルビデオ放送受信能力のような双方向通信能力を提供するために必要なコンポーネント及び（副）組立て品（assembly）を備えてもよく，少なくともいくつかのコンポーネント及び（副）組立て品は，これらの機能に共通であってもよい。
【００２５】
メッセージモジュール１０２ｄは，ＳＭＳ注文メッセージ１１２のような注文メッセージを，コンテンツ提供事業者１１４のような１以上のコンテンツ提供事業者に送信するために含めてもよい。メッセージは，ＳＭＳに加えてＷＡＰ，ウェブ，ＢＴ，及びほかのメッセージ形式，並びにシステムを用いて送信してもよい。本発明の１つの実施例においてメッセージモジュール１０２ｄは，注文情報メモリモジュール１０２ｃに記憶された注文情報と，スマートカード１０２ｆから取得したユーザ及び／又は端末識別情報及び好みデータとを用いて適切なメッセージを作成する。ユーザ及び／又は端末識別情報及び好みデータは，スマートカードの代わりに又はそれに加えて，例えばフラッシュメモリ又はほかの着脱可能メモリデバイスのような，移動体端末内の，又はそれに接続されたほかのデータ記憶場所又はデバイスに記憶することができる。コンテンツ提供事業者１１４は，顧客追跡目的で受信したメッセージを用いてもよい。
【００２６】
本発明の１つの実施例においては，注文メッセージを受信した後コンテンツ提供事業者１１４は，移動体端末１０２へ特典データ１１６を送信する。特典データは，着信音，運用事業者のロゴ，暗号かぎ，アプリケーション，Ｊａｖａ（登録商標）か，シンビアン（登録商標）か，Ｃ＋＋か，又はほかのプログラミング言語かでプログラムされたゲーム，シンビアン（登録商標）アプリケーション，若しくは移動体端末又はほかの受信機へ送信できる任意のほかのデータ形態であってよい。１つの実施例において特典データは，後に続くコンテンツセグメントを利用するために使うことができるパスワードを含んでもよい。もう１つの実施例において特典データは，コンテンツに関連しているか又はコンテンツから抽出された着信音又は待ち受け画面（スクリーンセイバ）であってもよい。そのような特典データの例は，映画のテーマ曲に対応する着信音，若しくは映画から抽出した静止画又はビデオクリップである。更にいくつかの実施例において特典データは，割引クーポン又は着信音であってもよく，運用事業者のロゴ又は待ち受け画面を割引クーポンとして用いてもよい。
【００２７】
本発明の１つの実施例によれば特典データは，コンテンツ利用契約の部分的支払として用いてもよい。この実施例によれば，ユーザがコンテンツの利用契約をし，広告を見ることによって利用料金の割引を受ける。この実施例においては，特典データはサーバにおいて管理し，格納することができるので，実際に端末へ転送する必要はない。
【００２８】
また特典データは，複数の広告を放送している間に移動体端末に放送することができる。受信した特典データのセグメントは，移動体端末内に記憶され結合できる。ユーザは，特典データの最後のセグメントが移動体端末に到着した後に，通知を受信することができる。複数の特典データのセグメントを放送する各実施例においてユーザは，ユーザが対応する広告を見て，特典データを利用することに興味があることを確認するために，メッセージを送信するか，又はあるほかの操作を行うために短い時間を与えられる。例えば待ち受け画面は４つの特典データセグメントに分割され，各セグメントは４つの異なる広告と共に放送することができる。各セグメントが放送された後，ユーザはあるアドレスにＳＭＳメッセージを送信して特典データメモリにセグメントを記憶させるために，例えば１分の時間を与えられる。またもう１つの実施例においては，ユーザは各特典データセグメントが受信された後に，そのセグメントを特典データメモリに記憶することを促し，また受け入れるかどうか尋ねられる。受け入れは，所定の時間内に行わなければならない。本発明の１つの実施例においては，ユーザが最後に受信されたセグメントを受け入れたとき，各特典データセグメントが結合されて完全な特典データファイルになる。本発明のもう１つの実施例においては，特典データは最後のセグメントを受け入れた後直ちに利用することができる。本発明の更にもう１つの実施例においては，以前のセグメントのすべて又はいくつかが受け入れられなかったときユーザは通知され，注文を送信できないようにするか，又は注文への応答として不足を通知される。
【００２９】
図２は，本発明の実施例によって広告サポートコンテンツ及び特典情報を放送する方法を示す図である。始めにステップ２０２において，コンテンツが離散単位に区切られる。ステップ２０４において，コンテンツ及び広告がコンテンツの離散単位を区切る少なくともいくつかの広告を伴って放送される。ステップ２０６において，ユーザに広告を見るように奨励する特典情報が放送される。
【００３０】
特典情報の放送は，広告の放送中に行ってもよい。代替実施例においては，特典情報はほかの時間に放送され，活性化情報又は認証情報は広告がユーザに提示されている間，又は直後にユーザに放送又は提示されてもよい。本発明のいくつかの実施例においては，特典情報はユーザが特典データを注文又は活性化できるようにする情報を含む。ほかの実施例においては，特典情報は特典データ又はその一部を含んでもよい。
【００３１】
ユーザが利用できる特典データの種別は，ユーザが決定してもよい。ステップ２０８において，少なくとも１人のユーザからユーザプロファイルデータが受信され，次にステップ２１０において受信されたプロファイルデータに基づいて特典データを選択できる。本発明のいくつかの実施例においては，ユーザプロファイルデータの代わり，又はそれに追加して，端末プロファイル又は好みデータも受信することができ，特典データ又はその形式の選択は，ユーザプロファイルデータと端末プロファイルデータとの組合せに基づいて行われる。
【００３２】
図３は，本発明の実施例によって，移動体端末が特典データを選択するために用いられるプロファイル情報を提供する構成を示す図である。図３に示された実施例は，図１に示された実施例に類似している。類似の要素は同一のラベルが付けられている。図３に示す実施例において，特典データ１１１ａと，１１１ｂと，１１１ｃとは広告サポートコンテンツストリーム１０４の一部として放送される。すなわち，（図２に示す）特典情報１１０ａと，１１０ｂと，１１０ｃとは，特典データ１１１ａと，１１１ｂと，１１１ｃとによって実装される。２以上の特典データ１１１ａと，１１１ｂと，１１１ｃとは，より大きい特典データセグメントのセグメントであってもよい。
【００３３】
図３に示した実施例においては，移動体端末１０２はレーティングシステム３０２に情報を提供してもよい。情報は，スマートカード１０２ｆに記憶された情報から取得されたか，又は由来するプロファイル情報の形態であってよい。代替としてレーティングシステム３０２は，移動体端末のユーザから要求又は質問への回答を受信する。次にレーティングシステム３０２は受信した情報を編集し，編集した情報を選択モジュール３０４に送信する。次に選択モジュール３０４は，編集した情報に基づいて特典情報を選択する。次に選択した特典情報又は特典情報の識別情報を，放送局３０６に提供する。次に放送局３０６は，選択された特典情報を広告サポートコンテンツストリーム１０４に挿入する。図３に示した実施例は，各ユーザに提供される特典情報が，少なくとも何人かのユーザが欲する種別の情報であることを保証する。
【００３４】
本発明の１つの実施例においては，広告の視聴，及び／又は特典情報の利用に関する統計値がサーバに格納され，及び／又は転送される。例えば端末は，どの広告が見られ，またどの特典データが利用されたかを示す情報を記憶してもよい。次に記憶した情報がサーバ又は広告及び／又は特典データのほかの情報源に送信される。広告の視聴と特典データの利用との相関データは，特典データの選択時に用いてもよい。また取得したデータは広告を評価するために用いてもよい。
【００３５】
本発明をその好ましい例示の実施例の意味で説明した。この開示をレビューすることによって当業者は，本願請求項の範囲及び精神内の多くのほかの実施例と，修正物と，変形物とを想起するであろう。例えば，デジタルセットトップボックスの形態の受信機を，開示された移動体端末の代わりに用いることができる。
【図１】
2011018341.tif 000003
【図２】
2011018341.tif 000004
【図３】
2011018341.tif 000005
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
コンテンツサーバを用いて広告サポートコンテンツを放送する方法であって，該コンテンツサーバは，プロセッサ及びメモリモジュールを備え，前記プロセッサが前記メモリモジュールに記憶されたプログラムを実行することによって，
（ａ）レーティングシステムから受信した情報を用いて特典データを選択するステップと，
（ｂ）コンテンツを離散単位に区切るステップと，
（ｃ）コンテンツの離散単位を区切る少なくともいくつかの広告と共に，前記コンテンツを放送するステップと，
（ｄ）前記特典データを少なくともいくつかの特典データセグメントに分割するステップと，
（ｅ）前記少なくともいくつかの広告と同時に，前記少なくともいくつかの特典データセグメントを順に放送するステップと，
を実行する方法。